(57)【要約】【課題】廃品の回収と、廃品回収を行うスーパーマーケット等の売上とを連動させることができる重量測定機能付き廃品回収用ボックスを提供する。【解決手段】ボックス本体の底板上の古紙Ｐの重量をロードセル２１が検出し、和算器２７によって合算される。和算器２７から古紙Ｐの最新の重量データが発券部１７の処理部３１に送られ、計算部において記録部に予め記録されている直近の重量データと比較され、この結果重量が増加している場合には、書き換え部によって記録部に記憶されている重量データを最新の重量データに書き換えて、重量データを更新する。更に、処理部から発券部への指令により、発券部からの出力によって、ポイント券がプリントされて、発券部１７の前パネルに設けられた排出口から排出される。ポイント券は例えばスーパーマーケットにおける買い物の際、ポイント数に応じた金額が使用することができる。【選択図】        図５
2012162377.tif 000002
【特許請求の範囲】
【請求項１】
ボックス本体と、前記ボックス本体に設けられ廃品を投入するための投入口と、前記投入口から新たにボックス本体に投入された廃品の重量を検出する重量検出手段と、前記重量検出手段によって検出された前記廃品の重量に応じたポイントが記載されたポイント券を発行するポイント券発行手段とから成ることを特徴とする重量測定機能付き廃品回収用ボックス。
【請求項２】
請求項１に記載した重量測定機能付き廃品回収用ボックスにおいて、重量検出手段は、ボックス本体に収容されている廃品の重量を測定する重量測定部と、前記重量測定部によって測定された重量を記録する記録部と、前記本体ボックスへ新たに投入された廃品の重量を算出する計算部と、前記記録部に記録されている重量を前記重量測定部によって測定された最新の重量に更新する書き換え部とから成ることを特徴とする重量測定機能付き廃品回収用ボックス。
【請求項３】
請求項１または２に記載した重量測定機能付き廃品回収用ボックスにおいて、重量検出手段によって検出された前記廃品の重量に応じたポイントが記載されたポイント券を発行するポイント券発行手段は、ポイント券を印刷するプリンターを備えることを特徴とする重量測定機能付き廃品回収用ボックス。
【発明の詳細な説明】
【技術分野】
【０００１】
本発明は重量測定機能付き廃品回収用ボックスに係り、特に計測した重量に応じたポイント券を発行する重量測定機能付き廃品回収用ボックスに関するものである。
【背景技術】
【０００２】
近年、エコロジーに対する意識が急激に高まり、古紙、ペットボトル等の廃品を回収して、リサイクルに供することが盛んに行われている。
例えばスーパーマーケットにおいては廃品回収用ボックスを設置してあり、買い物にきた客が、自宅から持ってきた廃品を回収ボックスに入れていくことは、よく見受けられる光景である。
廃品回収用ボックスは特許文献１に記載されたものが用いられる。
【先行技術文献】
【特許文献】
【０００３】
【特許文献１】実用新案登録第３０７７８３９号
【発明の概要】
【発明が解決しようとする課題】
【０００４】
しかしながら、上記従来の廃品回収用ボックスは投入された廃品を単に収容するだけの機能に止まるものであり、廃品を持ってきた客に対して特典を付与するものではない。このため、スーパーマーケットの売上アップに大きく寄与しているとは言い難いという問題がある。
特に、スーパーマーケットの店員が廃品回収用ボックスから廃品を出したり、その周辺を清掃したりする労力を考えれば、廃品の回収とスーパーマーケットの売上アップとを連動させることが重要な課題となっている。
本発明は上記従来の問題点に着目して為されたものであり、廃品の回収と、例えば廃品回収を行うスーパーマーケット等の売上とを連動させることができる重量測定機能付き廃品回収用ボックスの提供を、その目的とする。
【課題を解決するための手段】
【０００５】
本発明は上記課題を解決するためになされたものであり、請求項１の発明は、ボックス本体と、前記ボックス本体に設けられ廃品を投入するための投入口と、前記投入口から新たにボックス本体に投入された廃品の重量を検出する重量検出手段と、前記重量検出手段によって検出された前記廃品の重量に応じたポイントが記載されたポイント券を発行するポイント券発行手段とから成ることを特徴とする重量測定機能付き廃品回収用ボックスである。
【０００６】
請求項２の発明は、請求項１に記載した重量測定機能付き廃品回収用ボックスにおいて、重量検出手段は、ボックス本体に収容されている廃品の重量を測定する重量測定部と、前記重量測定部によって測定された重量を記録する記録部と、前記本体ボックスへ新たに投入された廃品の重量を算出する計算部と、前記記録部に記録されている重量を前記重量測定部によって測定された最新の重量に更新する書き換え部とから成ることを特徴とする重量測定機能付き廃品回収用ボックスである。
【０００７】
請求項３の発明は、請求項１または２に記載した重量測定機能付き廃品回収用ボックスにおいて、重量検出手段によって検出された前記廃品の重量に応じたポイントが記載されたポイント券を発行するポイント券発行手段は、ポイント券を印刷するプリンターを備えることを特徴とする重量測定機能付き廃品回収用ボックスである。
【発明の効果】
【０００８】
本発明の重量測定機能付き廃品回収用ボックスによれば、廃品の回収と、例えば廃品回収を行うスーパーマーケット等の売上とを連動させることができるようになる。
【図面の簡単な説明】
【０００９】
【図１】本発明の実施の形態に係る重量測定機能付き廃品回収用ボックスの斜視図である。
【図２】図１のＡ−Ａ断面図である。
【図３】図１のＢ−Ｂ断面図である。
【図４】図１の重量測定機能付き廃品回収用ボックスの制御系の構成を示すブロック図である。
【図５】図１の重量測定機能付き廃品回収用ボックスの廃品の重量測定、ポイント券発行の手順を示すフローチャートである。
【発明を実施するための形態】
【００１０】
本発明の実施の形態に係る重量測定機能付き廃品回収用ボックス１を図面にしたがって説明する。
符号３はボックス本体を示し、このボックス本体３は底板５、この底板５に支持されたカバー７とから成る。
カバー７は上面の前方側から前面上端部分にかけて湾曲部を有するほぼ箱状に形成されており、この湾曲部に開口９が形成されている。開口９は左右２つに区分けされており、開口９を開閉するシャッター１１が備えられている。
【００１１】
また、カバー７の前面には一対の開閉扉１３が二組備えられている。更にカバー７の前面の中央には表示部１５が備えられている。この表示部１５は後述するポイント券発行手段としてのプリンター１７の前パネルによって構成されている。
【００１２】
符号１９は補強骨を有する矩形枠状のフレームを示し、このフレーム１９には底板５が載せられ固定されている。即ち、フレーム１９にはボックス本体３が支持されている。
フレーム１９にはロードセル２１を介して４つの脚部２３が取り付けられている。４つの脚部２３はフレーム１９の角部近傍に配置され、ロードセル２１は４つの脚部２３にそれぞれ備えられている。
【００１３】
図３に示すように、４つのロードセル２１にはコード２５がそれぞれ接続され、４本のコード２５は和算器２７に接続されている。
上記４つのロードセル２１、和算器２７によって重量検出手段が構成されている。
和算器２７にはコード２９が接続され、このコード２９は発券部１７に接続されている。
発券部１７では、図４に示すようにＣＰＵ、メモリ等で構成される処理部３１が、マイコン機能により重量測定部、記録部、計算部、書き換え部を構築している。
また、発券部１７はシート状のポイント券Ｔを印刷するプリンター３３を備え、プリンター出力されたポイント券Ｔは発券部１７の前パネルに設けられた排出口（図示せず）から排出される。
【００１４】
次に、この重量測定機能付き廃品回収用ボックス１の使用方法について説明する。
図５のフローチャートに示すように、ボックス本体３の底板５上の廃品としての古紙Ｐの重量を４つのロードセル２１が検出し、和算器２７によって合算される。そして、和算器２７から古紙Ｐの最新の重量データが発券部１７の処理部３１に送られる。
計算部において記録部に予め記録されている直近の重量データと比較され、この結果、新たに投入された古紙Ｐによって重量が増加している場合には、書き換え部によって記録部に記憶されている重量データを最新の重量データに書き換えて、重量データを更新する。
【００１５】
更に、処理部３１からプリンター３３への指令により、新たに投入された古紙Ｐの重量に応じたポイント数が表示されたポイント券Ｔがプリントされて、発券部１７の前パネルに設けられた排出口から排出される。
ポイント券Ｔは例えばスーパーマーケットにおける買い物の際、ポイント数に応じた金額が使用することができる。
ポイント券Ｔのポイントを買い物に使用可能となるため、重量測定機能付き廃品回収用ボックス１が設置してあるスーパーマーケットを客が選択して買い物をすることが多くなり、廃品回収を行うスーパーマーケット等の売上を連動させることができる。
なお、ボックス本体３内の古紙Ｐを取り出す場合は、開閉扉１３を開けて、ボックス本体３の前面下部にできた開口から取り出すようにする。
【００１６】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では廃品として古紙を示したが、本発明はこれに限定されず、空き缶、ペットボトル等、いかなるものを対象としてもよい。
ポイント券はシート状のポイントが印字されたものに限らず、例えば磁気によってポイントを書き込むものでもよく、この場合にはプリンターもこれに対応する機能のものとする。
【産業上の利用可能性】
【００１７】
本発明は廃品回収用ボックス製造業に適用することができる。
【符号の説明】
【００１８】
１…重量測定機能付き廃品回収用ボックス      ３…ボックス本体
５…底板      ７…カバー      ９…開口
１１…シャッター      １３…開閉扉      １５…表示部
１７…発券部      １９…フレーム      ２１…ロードセル
２３…脚部      ２５…コード      ２７…和算器
２９…コード    ３１…処理部    ３３…プリンター
Ｐ…古紙      Ｔ…ポイント券
【図１】
2012162377.tif 000003
【図２】
2012162377.tif 000004
【図３】
2012162377.tif 000005
【図４】
2012162377.tif 000006
【図５】
2012162377.tif 000007